(57)【要約】【課題】二番物の扱き処理を効率よく行うことが可能なコンバインを提供する。【解決手段】二番還元部５５には、二番回収部と接続された接続ケース５７が備えられ、接続ケース５７に、第二搬送スクリューの回転軸７１の延びる回転軸方向に間隔を空けた状態で回転軸７１の軸端部分に支持された複数の回転歯７５と、複数の回転歯７５に対応する状態かつ回転軸方向に間隔を空けた状態で、接続ケース５７の内周部６５ａ、６９ａから内周側に向けて突出された複数の固定歯８１、９１と、が備えられ、接続ケース５７は、回転歯７５と固定歯８１、９１とによって、二番物に含まれる枝梗と穀粒とが分離されるように構成され、固定歯８１、９１における回転歯７５に対向する第二傾斜部８１β、９１βに、凹部８３、９３が形成されている。【選択図】図４
2019103434.tif 000002
【特許請求の範囲】
【請求項１】
収穫物を脱穀処理する脱穀装置と、前記脱穀装置によって脱穀処理された穀粒を上昇搬送する搬送装置と、前記搬送装置によって搬送された穀粒を上部から受け入れて貯留する穀粒タンクと、が備えられ、
前記脱穀装置に、前記脱穀装置の幅方向に沿って延びる第一搬送スクリューを有し、脱穀処理後の一番物を回収して前記搬送装置に受け渡す一番回収部と、前記脱穀装置の幅方向に沿って延びる第二搬送スクリューを有し、かつ、前記一番回収部よりも脱穀処理方向下手側に設けられ、前記脱穀処理後の二番物を回収する二番回収部と、前記二番回収部から前記二番物を受け取り、上昇搬送して前記脱穀装置における移送方向上手側に還元する二番還元部と、が備えられ、
前記二番還元部に、前記二番回収部との接続箇所に設けられた接続ケースと、前記接続ケースに接続され、前記二番物を上昇搬送する縦搬送部と、が備えられ、
前記接続ケースに、前記第二搬送スクリューの回転軸芯方向に間隔を空けた状態で前記第二搬送スクリューの回転軸の軸端部分に支持された複数の回転歯と、前記複数の回転歯に対応する状態かつ前記回転軸芯方向に間隔を空けた状態で、前記接続ケースの内周部から内周側に向けて突出された複数の固定歯と、が備えられ、
前記接続ケースは、前記回転歯と前記固定歯とによって、前記二番物に含まれる枝梗と穀粒とが分離されるように構成され、
前記固定歯における前記回転歯に対向する作用部に、凹部が形成されているコンバイン。
【請求項２】
前記作用部に、前記回転軸の回転方向に沿って、複数の前記凹部が形成されている請求項１または２に記載のコンバイン。
【請求項３】
複数の前記固定歯は、前記回転軸の回転方向で位置ずれした状態で配置されている請求項２に記載のコンバイン。
【請求項４】
前記接続ケースの周部に点検口が形成され、かつ、前記点検口を開閉可能な蓋部材が備えられ、
前記固定歯は、前記蓋部材に支持されている請求項１から３の何れか一項に記載のコンバイン。
【請求項５】
前記接続ケースの内周部における上部側部分に、複数の前記固定歯から構成される上部側固定歯群が備えられ、
前記上部側固定歯群は、前記接続ケースの幅方向において、前記二番回収部から離れるように、前記回転軸の軸端寄りに配置されている請求項１から４の何れか一項に記載のコンバイン。
【請求項６】
前記接続ケースの内周部における下部側部分に、複数の前記固定歯から構成される下部側固定歯群が備えられると共に、前記接続ケースの内周部における上部側部分に、複数の前記固定歯から構成される上部側固定歯群が備えられている請求項１から５の何れか一項に記載のコンバイン。
【請求項７】
前記下部側固定歯群における前記固定歯の数は、前記上部側固定歯群における前記固定歯の数よりも多い請求項６に記載のコンバイン。
【請求項８】
前記下部側固定歯群における複数の前記固定歯は、前記回転軸の回転方向で、位相が異なるように位置ずれした状態で配置され、
前記上部側固定歯群における複数の前記固定歯は、前記回転方向で、同位相となるように位置ずれしない状態で配置されている請求項６または７に記載のコンバイン。
【発明の詳細な説明】
【技術分野】
【０００１】
本発明は、刈取穀稈を脱穀処理するコンバインに関する。
【背景技術】
【０００２】
例えば、特許文献１には、刈取穀稈を脱穀処理するコンバインが記載されている。特許文献１のコンバインには、刈取穀稈を脱穀処理する脱穀部と、脱穀部で脱穀処理された脱穀処理物を搬送しながら揺動選別する選別部と、選別部から流下した一番物を回収する一番回収部と、一番回収部よりも搬送方向下流側に位置し、選別部から流下した二番物を回収する二番回収部と、が備えられている。また、特許文献１のコンバインには、二番回収部で回収された枝梗附着粒や二又粒等に扱き処理を施す接続ケース（文献では「二番処理胴」）が設けられており、接続ケースで扱き処理された二番選別対象物は選別部に還元される。
このように二番回収部で回収された枝梗附着粒や二又粒等に接続ケースで扱き処理を施して、選別部に還元することで、穀粒回収効率を高めることができる。
【先行技術文献】
【特許文献】
【０００３】
【特許文献１】特開２０１６−６７２２５号公報
【発明の概要】
【発明が解決しようとする課題】
【０００４】
しかし、特許文献１の接続ケースでの扱き処理によってもまだ、枝梗附着粒や二又粒等の扱き処理が不十分であり、二番物の扱き処理に改善の余地がある。
【０００５】
そこで、本発明は、二番物の扱き処理を効率よく行うことが可能なコンバインを提供することを目的とする。
【課題を解決するための手段】
【０００６】
本発明のコンバインは、
収穫物を脱穀処理する脱穀装置と、前記脱穀装置によって脱穀処理された穀粒を上昇搬送する搬送装置と、前記搬送装置によって搬送された穀粒を上部から受け入れて貯留する穀粒タンクと、が備えられ、
前記脱穀装置に、前記脱穀装置の幅方向に沿って延びる第一搬送スクリューを有し、脱穀処理後の一番物を回収して前記搬送装置に受け渡す一番回収部と、前記脱穀装置の幅方向に沿って延びる第二搬送スクリューを有し、かつ、前記一番回収部よりも脱穀処理方向下手側に設けられ、前記脱穀処理後の二番物を回収する二番回収部と、前記二番回収部から前記二番物を受け取り、上昇搬送して前記脱穀装置における移送方向上手側に還元する二番還元部と、が備えられ、
前記二番還元部に、前記二番回収部との接続箇所に設けられた接続ケースと、前記接続ケースに接続され、前記二番物を上昇搬送する縦搬送部と、が備えられ、
前記接続ケースに、前記第二搬送スクリューの回転軸芯方向に間隔を空けた状態で前記第二搬送スクリューの回転軸の軸端部分に支持された複数の回転歯と、前記複数の回転歯に対応する状態かつ前記回転軸芯方向に間隔を空けた状態で、前記接続ケースの内周部から内周側に向けて突出された複数の固定歯と、が備えられ、
前記接続ケースは、前記回転歯と前記固定歯とによって、前記二番物に含まれる枝梗と穀粒とが分離されるように構成され、
前記固定歯における前記回転歯に対向する作用部に、凹部が形成されているものである。
【０００７】
本構成によれば、接続ケースには、複数の回転歯と複数の固定歯とが備えられており、第二搬送スクリューの回転により複数の回転歯が複数の固定歯と対向するように回転する。そして、固定歯には、回転歯に対向する作用部に凹部が形成されているため、二番物に含まれる枝梗附着粒や二又粒等は、固定歯の凹部に係止して（引っ掛かって）、回転歯と連れ回りしにくくなり、その結果、回転歯と固定歯との扱き処理によって、枝梗附着粒等が枝梗と穀粒とに効率よく分離される。
【０００８】
本発明のコンバインにおいて、
前記作用部に、前記回転軸の回転方向に沿って、複数の前記凹部が形成されていると好適である。
【０００９】
本構成によれば、枝梗附着粒や二又粒等が凹部に係止する確率が高まる。この状態で回転歯が回転軸の回転方向に沿って回転するため、より多くの枝梗附着粒や二又粒等が扱き処理され、扱き処理の効率を向上できる。
【００１０】
本発明のコンバインにおいて、
複数の前記固定歯は、前記回転軸の回転方向で位置ずれした状態で配置されていると好適である。
【００１１】
本構成によれば、複数の固定歯は、回転軸の回転方向、つまり回転歯の回転方向に対して位置ずれして配置されているため、枝梗附着粒等が凹部に係止できる領域が大きくなる。これにより、二番物に含まれる枝梗附着粒や二又粒等の扱き処理を効率よく行うことができる。
【００１２】
本発明のコンバインにおいて、
前記接続ケースの周部に点検口が形成され、かつ、前記点検口を開閉可能な蓋部材が備えられ、
前記固定歯は、前記蓋部材に支持されていると好適である。
【００１３】
本構成によれば、既存の点検口に設けられた蓋部材に固定歯を形成することで、蓋部材を外せば、固定歯を広く開放した状態にすることができ、凹部への藁屑等の詰りを除去しやすくなる。また、作物の種類や作物の状況に応じて、蓋部材を、固定歯のないものや、固定歯の数やレイアウトが異なるもの、凹部の構成が異なるものに、簡単に交換することができる。
【００１４】
本発明のコンバインにおいて、
前記接続ケースの内周部における上部側部分に、複数の前記固定歯から構成される上部側固定歯群が備えられ、
前記上部側固定歯群は、前記接続ケースの幅方向において、前記二番回収部から離れるように、前記回転軸の軸端寄りに配置されていると好適である。
【００１５】
本構成によれば、上部側固定歯群は、二番回収部から二番物が接続ケースに導入される際の邪魔になりにくい。よって、二番回収部から二番物を効率よく接続ケースに導入し、より多くの二番物に対して扱き処理を行うことができる。
【００１６】
本発明のコンバインにおいて、
前記接続ケースの内周部における下部側部分に、複数の前記固定歯から構成される下部側固定歯群が備えられると共に、前記接続ケースの内周部における上部側部分に、複数の前記固定歯から構成される上部側固定歯群が備えられていると好適である。
【００１７】
本構成によれば、下部側固定歯群及び上部側固定歯群によって、枝梗附着粒等が凹部に係止できる領域が広げられると共に、凹部が上向きとなる下部側固定歯群と、凹部が下向きとなる上部側固定歯群とによって、枝梗附着粒等に対する凹部による作用の仕方を変えられ、さらに効率よく扱き処理を行うことができる。
【００１８】
本発明のコンバインにおいて、
前記下部側固定歯群における前記固定歯の数は、前記上部側固定歯群における前記固定歯の数よりも多いと好適である。
【００１９】
本構成によれば、二番物に含まれる枝梗附着粒や二又粒等は、その重力によって接続ケースの上側よりも下側により多く滞留しやすい。よって、下部側固定歯群の固定歯の数を上部側固定歯群よりも多くすることで、扱き処理の効率を向上できる。
【００２０】
本発明のコンバインにおいて、
前記下部側固定歯群における複数の前記固定歯は、前記回転軸の回転方向で、位相が異なるように位置ずれした状態で配置され、
前記上部側固定歯群における複数の前記固定歯は、前記回転方向で、同位相となるように位置ずれしない状態で配置されていると好適である。
【００２１】
本構成によれば、複数の固定歯群を設ける場合に、各固定歯群の配置を異ならせることで、それぞれの固定歯群における扱き処理に強弱をつけることができる。
【図面の簡単な説明】
【００２２】
【図１】脱穀装置を含むコンバインの一部上面図である。
【図２】脱穀装置の内部を模式的に示す左側面図である。
【図３】脱穀装置の外側の構成を模式的に示す右側面図である。
【図４】接続ケースの内部構造を示す右側面視の縦断面図である。
【図５】接続ケースの内部構造を示す横断面図である。
【図６】接続ケースの内部を見下げたときの第一蓋部材の展開図である。
【図７】接続ケースの内部を見上げたときの第二蓋部材の展開図である。
【図８】接続ケースの内部構造を示す右側面視の縦断面図である。
【発明を実施するための形態】
【００２３】
以下、本発明に係る収穫機の一例としての自脱型コンバインの実施形態を図面に基づいて説明する。
この実施形態で、コンバインの走行機体の前後方向を定義するときは、作業状態における機体進行方向に沿って定義し、機体の左右方向を定義するときは、機体進行方向視で見た状態で左右を定義する。すなわち、図１等に符号（Ｆ）で示す方向が機体前側、符号（Ｂ）で示す方向が機体後側、符号（Ｌ）で示す方向が機体左側、符号（Ｒ）で示す方向が機体右側である。従って、機体左右方向が走行機体横幅方向に対応する。
【００２４】
図１に示すように、コンバインには、機体前方右側に運転者が搭乗する運転部１が備えられている。そして、運転部１の後部かつ機体左側には、運転部１の前方の刈取部２で刈り取った収穫対象物の脱穀処理を行う脱穀装置３が備えられている。また、脱穀装置３で脱穀処理された穀粒を貯留する穀粒タンク５が、運転部１の後部かつ機体右側に備えられ、脱穀処理後の排藁をコンバイン外部に排出する排藁処理装置７が、脱穀装置の後部の下部に連結されている。
【００２５】
図２に示すように、脱穀装置３には、挟持搬送される刈取穀稈の穂先側を扱いて脱穀処理する脱穀部１１、脱穀部１１で脱穀処理された脱穀処理物を搬送しながら揺動選別する選別部１３、選別処理で得た穀粒等を回収する回収部１６等が備えられている。
【００２６】
また、脱穀装置３には、脱穀部１１の扱室Ｃ１を覆う上部フレーム１４と、上部フレーム１４の下方に連設され、選別部１３及び回収部１６の選別室Ｃ２を覆う下部フレーム１５と、が備えられている。
【００２７】
［脱穀部］
図２に示すように、脱穀部１１では、刈取部２（図１参照）から搬送されてくる刈取穀稈が、フィードチェーン４により後方に向けて挟持搬送される。そして、脱穀部１１には、前後方向に沿った回転軸心周りに回転駆動されて挟持搬送される刈取穀稈の穂先側を、扱刃１８ａにより扱いで脱穀処理を施すドラム式の扱胴１８が備えられている。また、脱穀部１１には、扱胴１８で処理された脱穀処理物を受けて漏下させる受網１９が備えられている。
【００２８】
扱胴１８で刈取穀稈から分離された脱穀処理物は、受網１９を漏下することで、または、扱胴１８の後端箇所から直接落下することで、選別部１３へ供給され、選別部１３によって選別処理された脱穀処理物は、回収部１６によって回収される。扱胴１８による処理後の排藁は、フィードチェーン４から排藁搬送装置６に受け渡され、最終的に、そのまま機外に排出されるか、排藁処理装置７によって細断されて機外に排出される。
【００２９】
［選別部］
選別部１３は、脱穀部１１から供給された脱穀処理物を後方に向けて移送しながら篩い選別する揺動選別機構２３、揺動選別機構２３における下側の精選別領域等に選別風を供給する主唐箕２４、揺動選別機構２３における上側の粗選別領域に選別風を供給する第一副唐箕２５、揺動選別機構２３における後部側の選別領域に選別風を供給する第二副唐箕２６等が備えられている。
【００３０】
揺動選別機構２３には、上面視で矩形状に形成された枠状のシーブケース２７に、第一グレンパン２８、複数の第一篩線２９、第二グレンパン３０、複数の第二篩線３１、チャフシーブ３２、ストローラック３３、及び、グレンシーブ３５が備えられている。シーブケース２７は、偏心カム式の駆動部３６により揺動駆動される。
【００３１】
［回収部］
図２に示すように、回収部１６には、選別部１３のグレンシーブ３５から流下した一番物を回収する一番回収部４４と、選別部１３のグレンシーブ３５の後方から流下した二番物を回収する二番回収部４５と、が備えられている。二番回収部４５は、一番回収部４４よりも搬送方向下流側に位置している。
【００３２】
図１、図２に示すように、一番回収部４４は、脱穀装置３の幅方向に沿って延びる一番横搬送部４６を有している。一番横搬送部４６の内部には、脱穀装置３の幅方向に沿って延びる一番搬送スクリュー（第一搬送スクリュー）４７が配置されている。そして、図１〜図３に示すように、一番横搬送部４６の右端には、一番横搬送部４６から上方に延びる搬送装置５０が接続されている。一番搬送スクリュー４７がエンジンからの動力により回転することによって、一番回収部４４は、脱穀装置３で脱穀処理され回収された一番物を右方に接続されている搬送装置５０に受け渡す。
【００３３】
搬送装置５０は、その内部に配置された一番揚送スクリュー５３がエンジンからの動力により回転し、一番搬送スクリュー４７と連動することによって、一番横搬送部４６から搬送された一番物を穀粒タンク５の上部に搬送する。これにより、穀粒タンク５は、搬送装置５０によって搬送された一番物を、その上部から受け入れて貯留する。
【００３４】
また、図１、図２に示すように、二番回収部４５は、脱穀装置３の幅方向に沿って延びる二番横搬送部４８を有している。二番横搬送部４８の内部には、脱穀装置３の幅方向に沿って延びる二番搬送スクリュー（第二搬送スクリュー）４９が配置されている。そして、図１〜図３に示すように、二番横搬送部４８の右端には、二番還元部５５が配置されている。二番還元部５５は、二番横搬送部４８の右端に接続された接続ケース５７（「二番処理胴」とも称される）と、接続ケース５７から上方に延びる縦搬送部５８とを有している。二番搬送スクリュー４９がエンジンからの動力により回転することによって、二番回収部４５は、脱穀装置３で脱穀処理され回収された二番物を右方に接続されている接続ケース５７に導入する。
【００３５】
接続ケース５７は、二番搬送スクリュー４９との連動により、二番搬送スクリュー４９により搬送された二番物に扱き処理（細断処理）を施し、縦搬送部５８に導入する。縦搬送部５８には、その内部に二番還元スクリュー５９が配置されている。また、縦搬送部５８と脱穀装置３との間には、案内シュート５６が接続されている。縦搬送部５８は、二番還元スクリュー５９がエンジンからの動力により回転することによって、接続ケース５７による細断処理後の二番物を、案内シュート５６を介して、脱穀装置における移送方向上手側、例えば、チャフシーブ３２の上方に還元する。
【００３６】
［接続ケース］
接続ケース５７について以下にさらに説明する。接続ケース５７は、図４に示すように、本体部６１と、本体部６１の下部側部分に設けられた第一点検口６３を開閉可能な第一蓋部材６５と、本体部６１の上部側部分に設けられた第二点検口６７を開閉可能な第二蓋部材６９とを備えている。接続ケース５７は、これら本体部６１、第一蓋部材６５及び第二蓋部材６９により左側面視が概ね円形状の円筒体から形成されており、二番搬送スクリュー４９と連通する開口と、縦搬送部５８と連通する開口とを有している。
【００３７】
図４〜図７に示すように、接続ケース５７の内部には、回転軸７１の回転方向に沿って回転する回転歯７５と、回転歯７５と対向するように接続ケース５７の内壁に支持された固定歯８１、９１とが設けられている。回転軸７１の回転に伴って、回転歯７５が固定歯８１、９１と近接位置で対向するように回転する。回転歯７５と対向する固定歯８１、９１の第二傾斜部８１β、９１β（本発明の「作用部」に相当する）には、凹部８３、９３が形成されている。凹部８３、９３に二番物に含まれる枝梗附着粒や二又粒等が係止した状態（引っ掛かった状態）で、回転歯７５が固定歯８１、９１と近接位置で対向するように回転することで、枝梗附着粒や二又粒等が枝梗と穀粒とに分離される。よって、扱き処理を効率よく行うことができる。
以下に、回転歯７５、固定歯８１、９１及びこれらに関連する構成についてさらに説明する。
【００３８】
図４及び図５に示すように、接続ケース５７の内部には、二番搬送スクリュー４９の回転軸７１が延びている。この回転軸７１の右端の近傍である右軸端部分に、回転軸方向（回転軸７１が延びる方向）に沿った板状面を有する複数の羽根部材７３が回転軸７１を中心に放射状に備えられている。図４の場合、隣接する羽根部材７３が互いに概ね９０°離隔するように、４枚の羽根部材７３が回転軸７１の右軸端部分に放射状に備えられている。
【００３９】
各羽根部材７３は図４の矢印に示すように回転軸７１を中心に回転する。これら各羽根部材７３には、回転軸７１の回転方向前側とは反対の回転方向後側の面に、長方形状であり板状の複数の回転歯７５が設けられている。複数の回転歯７５は、その板状面が回転軸方向との交差方向に沿うように、かつ、回転軸方向に間隔を空けた状態で設けられている。各羽根部材５１の先端部には、隣接する回転歯７５間に対応して複数の切欠溝７７が並んで形成されている。言い換えれば、各羽根部材５１は、先端が枝分かれした熊手状の形状をしている。そして、各回転歯７５は、切欠溝７７が形成されている先端部が、回転軸７１の回転方向後側に屈曲している。これにより、回転歯７５が固定歯８１、９１と近接位置で対向する際に、回転歯７５が枝梗附着粒や二又粒等から受ける抵抗を後ろに逃がし、抵抗をより少なくした状態で扱き処理を行える。
【００４０】
４枚の羽根部材７３は、３つの回転歯７５が設けられた羽根部材７３と、４つの回転歯７５が設けられた羽根部材７３とを含み、これらが交互に回転軸７１に設けられている。図５及び図６に示すように、一の羽根部材７３には、回転軸７１の右端側から左に順に、第一〜第四回転歯７５（７５ａ〜７５ｄ）が備えられており、別の羽根部材７３には、回転軸７１の右端側から左に順に、第一〜第三回転歯７５（７５ａ〜７５ｃ）が備えられている。そして、複数の切欠溝７７として、各回転歯７５の間に、回転軸７１の右端側から左に順に、第一〜第三切欠溝７７（７７ａ〜７７ｃ）又は第一及び第二切欠溝７７（７７ａ、７７ｂ）が備えられている。
【００４１】
図４〜図６に示すように、接続ケース５７の第一蓋部材６５の内周面６５ａ（本発明の「内周部」に相当する）には、複数の下側固定歯８１（本発明の「下部側固定歯群」に相当する）が支持されている。また、複数の下側固定歯８１は、三角形状かつ板状であり、回転軸７１の回転方向に沿って延びている。そして、下側固定歯８１は、回転方向下手側の第一傾斜部８１αと、回転方向上手側で、第一傾斜部８１αよりも長い第二傾斜部８１βとにより、第一蓋部材６５の内周面６５ａから内側に向けて三角形状で突出している。第二傾斜部８１βは、第一傾斜部８１αよりも傾斜が緩くなっている。また、複数の下側固定歯８１は、複数の回転歯７５に対応する状態で、かつ、回転軸方向に間隔を空けた状態で配置されている。図６の場合、複数の下側固定歯８１として、合計５つの第一〜第五下側固定歯８１ａ〜８１ｅが備えられている。そして、複数の回転歯７５が、切欠溝７７を介して複数の下側固定歯８１を通過するように矢印方向に進む。
【００４２】
ここで、下側固定歯８１は前述の通り５つの下側固定歯８１からなり、後述の２つの上側固定歯９１よりも数が多い。二番物に含まれる枝梗附着粒や二又粒等は、その重力によって接続ケース５７の上側よりも下側により多く滞留しやすい。よって、下側固定歯８１の数を上側固定歯９１の数よりも多くすることで、扱き処理の効率を向上できる。
【００４３】
各下側固定歯８１には、第二傾斜部８１βの上部に、下側固定歯８１の板状面に沿って（回転軸７１の回転方向に沿って）複数の凹部８３が並んで形成されている。各凹部８３は、板状の下側固定歯８１を回転軸方向に貫通する貫通孔により形成されている。図６の場合、各下側固定歯８１には、例えば４つの凹部８３が形成されている。前述の通り、下側固定歯８１の第二傾斜部８１βには、複数の凹部８３が回転軸７１の回転方向に沿って形成されているため、枝梗附着粒や二又粒等は、回転軸７１の回転方向に沿って並んだ状態で複数の凹部８３に係止する（引っ掛かる）。このように枝梗附着粒や二又粒等が並んだ方向に沿って、回転歯７５が回転軸７１の回転方向に沿って回転するため、より多くの枝梗附着粒や二又粒等が扱き処理され、扱き処理の効率を向上できる。また、第一傾斜部８１αよりも長い第二傾斜部８１βの上部に複数の凹部８３が形成されることで、より多くの枝梗附着粒や二又粒等が凹部８３に係止する（引っ掛かる）。回転歯７５の回転により枝梗附着粒や二又粒等を枝梗と穀粒とに分離できる。また、第一傾斜部８１αよりも傾斜が緩い第二傾斜部８１βを用いて、扱き処理による抵抗を小さくして枝梗附着粒や二又粒等への損傷を少なくできる。
【００４４】
図５及び図６に示すように、第一下側固定歯８１ａと第二下側固定歯８１ｂとは回転軸方向（左右方向）に対向するように配置されている。つまり、第一下側固定歯８１ａと第二下側固定歯８１ｂとは、回転軸７１の回転方向において同位相となるように位置ずれしない状態で配置されている。第一下側固定歯８１ａは、第一回転歯７５ａと第二回転歯７５ｂとの間の第一切欠溝７７ａに対応するように形成されている。第二下側固定歯８１ｂは、第三回転歯７５ｃと第四回転歯７５ｄとの間の第三切欠溝７７ｃに対応するように形成されている。
【００４５】
第三下側固定歯８１ｃは、回転軸方向において第一下側固定歯８１ａと第二下側固定歯８１ｂとの間に配置されている。かつ、第三下側固定歯８１ｃは、第一下側固定歯８１ａ及び第二下側固定歯８１ｂとは、回転軸７１の回転方向において位相が異なるように位置ずれした状態で配置されている。より具体的には、第三下側固定歯８１ｃは、一部が第一下側固定歯８１ａ及び第二下側固定歯８１ｂに重複してもよいが、第一下側固定歯８１ａ及び第二下側固定歯８１ｂよりも回転方向前側に位置している。そして、第三下側固定歯８１ｃは、第二回転歯７５ｂと第三回転歯７５ｃとの間の第二切欠溝７７ｂに対応するように形成されている。
【００４６】
第四下側固定歯８１ｄ及び第五下側固定歯８１ｅは、回転軸７１の回転方向において第一下側固定歯８１ａ及び第二下側固定歯８１ｂに対応して配置されている。また、第四下側固定歯８１ｄと第五下側固定歯８１ｅとは、回転軸７１の回転方向において同位相となるように位置ずれしない状態で配置されている。かつ、第四下側固定歯８１ｄ及び第五下側固定歯８１ｅは、第三下側固定歯８１ｃとは、回転軸７１の回転方向において位相が異なるように位置ずれした状態で配置されている。より具体的には、第四下側固定歯８１ｄ及び第五下側固定歯８１ｅは、一部が第三下側固定歯８１ｃに重複してもよいが、第三下側固定歯８１ｃよりも回転方向前側に位置している。
【００４７】
第四下側固定歯８１ｄは、第一回転歯７５ａと第二回転歯７５ｂとの間の第一切欠溝７７ａに対応するように形成されている。第五下側固定歯８１ｅは、第三回転歯７５ｃと第四回転歯７５ｄとの間の第三切欠溝７７ｃに対応するように形成されている。
【００４８】
以上の通り、第一下側固定歯８１ａ及び第二下側固定歯８１ｂと、第三下側固定歯８１ｃと、第四下側固定歯８１ｄ及び第五下側固定歯８１ｅとは、回転軸７１の回転方向において位相が異なるように位置ずれした状態で配置されている。よって、回転歯７５と下側固定歯８１ａ〜８１ｅとの対向領域が大きくなる。これにより、二番物に含まれる枝梗附着粒や二又粒等の扱き処理を効率よく行うことができる。
【００４９】
さらに、図４及び図７に示すように、接続ケース５７の第二蓋部材６９の内周面６９ａ（本発明の「内周部」に相当する）には、板状の複数の上側固定歯９１（本発明の「下部側固定歯群」に相当する）が支持されている。各上側固定歯９１は、下側固定歯８１と同様の構成であり、回転方向前側の第一傾斜部９１αと、回転方向後側で、４つの凹部９３が並んで形成されている第二傾斜部９１βとにより、第二蓋部材６９の内周面６９ａから内側に向けて三角形状で突出している。また、複数の上側固定歯９１は、複数の回転歯７５に対応する状態で、かつ、回転軸方向に間隔を空けた状態で配置されている。図７の場合、複数の上側固定歯９１として、第一上側固定歯９１ａ及び第二上側固定歯９１ｂが備えられている。
【００５０】
図４及び図７に示すように、第一上側固定歯９１ａと第二上側固定歯９１ｂとは回転軸方向（左右方向）に対向するように配置されている。つまり、第一上側固定歯９１ａと第二上側固定歯９１ｂとは、回転軸７１の回転方向において同位相となるように位置ずれしない状態で配置されている。第一上側固定歯９１ａは、第一回転歯７５ａと第二回転歯７５ｂとの間の第一切欠溝７７ａに対応するように形成されている。第二上側固定歯９１ｂは、第二回転歯７５ｂと第三回転歯７５ｃとの間の第二切欠溝７７ｂに対応するように形成されている。そして、複数の回転歯７５が、切欠溝７７を介して複数の上側固定歯９１を通過するように矢印方向に進む。
【００５１】
図５及び図６に示すように、複数の下側固定歯８１のうち、第二下側固定歯８１ｂ及び第五下側固定歯８１ｅは、二番回収部４５側に最も隣接する第四回転歯７５ｄに対応するように形成されている。一方、図７に示すように、複数の上側固定歯９１のうち第二上側固定歯９１ｂは、第三回転歯７５ｃに対応するように形成されている。つまり、複数の上側固定歯９１は、複数の下側固定歯８１よりも、全体として、回転軸方向（接続ケース５７の幅方向）において、二番回収部４５側から離れるように回転軸７１の右軸端寄りに配置されている。そのため、上側固定歯９１は、二番回収部４５から二番物が接続ケース５７に導入される際の邪魔になりにくい。よって、二番回収部４５から二番物を効率よく接続ケース５７に導入し、より多くの二番物に対して扱き処理を行うことができる。
【００５２】
上記のように構成された接続ケース５７において、回転軸７１が回転駆動されると、二番回収部４５から接続ケース５７に導入された二番物が、複数の羽根部材７３によって回転軸７１の回転方向に沿って押圧搬送される。二番物は複数の下側固定歯８１の凹部８３及び複数の上側固定歯９１の凹部９３内に押し込まれて係止する（引っ掛かる）。この状態で、複数の回転歯７５が複数の下側固定歯８１及び複数の上側固定歯９１と近接位置で対向するように回転する。二番物が凹部８３、９３内に係止した（引っ掛かった）状態であるため、回転歯７５から二番物が逃げるのが抑制され、二番物に含まれる枝梗附着粒や二又粒等を枝梗と穀粒とに分離するように、扱き処理を効率よく行うことができる。このような処理が施された二番物が、二番還元部５５及び案内シュート５６を介して脱穀装置３の選別部１３に還元される。よって、脱穀装置３での穀粒回収効率を向上できる。
【００５３】
また、複数の下側固定歯８１及び複数の上側固定歯９１によって、接続ケース５７の下側部分及び上側部分の両方において扱き処理を効率よく行うことができる。
【００５４】
また、複数の下側固定歯８１は回転方向で位相が異なるように配置されているため、回転歯７５との対向領域が比較的大きい。一方、複数の上側固定歯９１は回転方向で位相が同じであるため、回転歯７５との対向領域が比較的小さい。複数の固定歯８１、９１を設ける場合に、各固定歯８１、９１の配置を異ならせることで、それぞれの固定歯８１、９１における扱き処理に強弱をつけることができる。
【００５５】
また、複数の下側固定歯８１及び複数の上側固定歯９１は、それぞれ第一蓋部材６５及び第二蓋部材６９に設けられている。既存の点検口６３、６７に設けられた蓋部材６５、６９に固定歯８１、９１を形成することで、別途の部材に固定歯８１、９１を形成することなく扱き処理を効率よく行える。また、固定歯８１、９１及び回転歯７５により枝梗附着粒や二又粒等の扱き処理が過剰に行われ穀粒が損傷を受ける場合には、固定歯８１、９１が設けられていない蓋部材、固定歯８１、９１の数が少ない蓋部材、又は固定歯８１、９１の凹部８３、９３の数が少ない等の別途の蓋部材に容易に交換できる。
【００５６】
〔別実施形態〕
以下、上記実施形態に変更を加えた別実施形態について説明する。以下の別実施形態は、矛盾が生じない限り、上記実施形態に複数組み合わせて適用できる。なお、本発明の範囲は、各実施形態で示している内容に限られるものではない。
【００５７】
（１）羽根部材７３、回転歯７５、下側固定歯８１、上側固定歯９１、切欠溝７７の数やレイアウトや形状については、上記実施形態のものに限定されず、枝梗附着粒や二又粒等が適度に扱き処理され、穀粒に損傷を与えない程度であれば、種々の形態を採用可能である。
【００５８】
例えば、上記実施形態では、第一蓋部材６５及び第二蓋部材６９にそれぞれ下側固定歯８１及び上側固定歯９１が形成されている。しかし、第一蓋部材６５及び第二蓋部材６９の何れかに固定歯が形成されていてもよい。また、固定歯の形成場所は第一蓋部材６５及び第二蓋部材６９に限定されず、接続ケース５７内の回転歯に対応した任意の場所に固定歯を形成することができる。
【００５９】
（２）上記実施形態では、各固定歯には、４つの凹部８３、９３が形成されている。しかし、凹部８３、９３は、少なくとも１つ以上形成されていればよく、３つ以下でも、４つより多くてもよい。
【００６０】
（３）上記実施形態では、図４の接続ケース５７の右側面視において、接続ケース５７と縦搬送部５８の底部との接続部分では、縦搬送部５８の底面は、接続ケース５７が縦搬送部５８に接続する端面に対して下方に位置している。つまり、接続ケース５７の端面と縦搬送部５８の底部との間に段差が形成され、段差に伴う空間が形成されている。しかし、図８に示すように、接続ケース５７の端面と縦搬送部５８の底面とは、段差がなく連続的に接続されていてもよい。このように段差が無く段差に伴う空間が無い場合には、この空間にゴミ、穀粒及び排藁等が溜まるのを抑制でき好ましい。
【００６１】
（４）上記実施形態の構成に加えて、接続ケース５７の内周面には、摩耗した際に交換可能なライナー（図示せず）が適宜の箇所に設けられていてもよい。
【産業上の利用可能性】
【００６２】
本発明は、自脱型コンバインだけでなく、刈取穀稈の全稈を脱穀装置に投入する全稈投入型コンバインにも適用可能である。
【符号の説明】
【００６３】
３            ：脱穀装置
４４          ：一番回収部
４５          ：二番回収部
４７          ：一番搬送スクリュー
４９          ：二番搬送スクリュー
５０          ：搬送装置
５５          ：二番還元部
５７          ：接続ケース
５８          ：縦搬送部
６３、６７    ：点検口
６５、６９    ：蓋部材
６５ａ、６９ａ：内周面（内周部）
７５          ：回転歯
８１、９１    ：固定歯
８１α、９１α：第二傾斜部（作用部）
８３、９３    ：凹部
【図１】
2019103434.tif 000003
【図２】
2019103434.tif 000004
【図３】
2019103434.tif 000005
【図４】
2019103434.tif 000006
【図５】
2019103434.tif 000007
【図６】
2019103434.tif 000008
【図７】
2019103434.tif 000009
【図８】
2019103434.tif 000010
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
収穫物を脱穀処理する脱穀装置と、前記脱穀装置によって脱穀処理された穀粒を上昇搬送する搬送装置と、前記搬送装置によって搬送された穀粒を上部から受け入れて貯留する穀粒タンクと、が備えられ、
前記脱穀装置に、前記脱穀装置の幅方向に沿って延びる第一搬送スクリューを有し、脱穀処理後の一番物を回収して前記搬送装置に受け渡す一番回収部と、前記脱穀装置の幅方向に沿って延びる第二搬送スクリューを有し、かつ、前記一番回収部よりも脱穀処理方向下手側に設けられ、前記脱穀処理後の二番物を回収する二番回収部と、前記二番回収部から前記二番物を受け取り、上昇搬送して前記脱穀装置における移送方向上手側に還元する二番還元部と、が備えられ、
前記二番還元部に、前記二番回収部との接続箇所に設けられた接続ケースと、前記接続ケースに接続され、前記二番物を上昇搬送する縦搬送部と、が備えられ、
前記接続ケースに、前記第二搬送スクリューの回転軸芯方向に間隔を空けた状態で前記第二搬送スクリューの回転軸の軸端部分に支持された複数の回転歯と、前記複数の回転歯に対応する状態かつ前記回転軸芯方向に間隔を空けた状態で、前記接続ケースの内周部から内周側に向けて突出された複数の固定歯と、が備えられ、
前記接続ケースは、前記回転歯と前記固定歯とによって、前記二番物に含まれる枝梗と穀粒とが分離されるように構成され、
前記固定歯における前記回転歯に対向する作用部に、凹部が形成されているコンバイン。
【請求項２】
前記作用部に、前記回転軸の回転方向に沿って、複数の前記凹部が形成されている請求項１に記載のコンバイン。
【請求項３】
前記複数の固定歯は、前記回転軸の回転方向で位置ずれした状態で配置されている請求項２に記載のコンバイン。
【請求項４】
前記接続ケースの周部に点検口が形成され、かつ、前記点検口を開閉可能な蓋部材が備えられ、
前記固定歯は、前記蓋部材に支持されている請求項１から３の何れか一項に記載のコンバイン。
【請求項５】
前記接続ケースの内周部における上部側部分に、前記複数の固定歯から構成される上部側固定歯群が備えられ、
前記上部側固定歯群は、前記接続ケースの幅方向において、前記二番回収部から離れるように、前記回転軸の軸端寄りに配置されている請求項１から４の何れか一項に記載のコンバイン。
【請求項６】
前記接続ケースの内周部における下部側部分に、前記複数の固定歯から構成される下部側固定歯群が備えられると共に、前記接続ケースの内周部における上部側部分に、前記複数の固定歯から構成される上部側固定歯群が備えられている請求項１から５の何れか一項に記載のコンバイン。
【請求項７】
前記下部側固定歯群における前記固定歯の数は、前記上部側固定歯群における前記固定歯の数よりも多い請求項６に記載のコンバイン。
【請求項８】
前記下部側固定歯群における前記複数の固定歯は、前記回転軸の回転方向で、位相が異なるように位置ずれした状態で配置され、
前記上部側固定歯群における前記複数の固定歯は、前記回転方向で、同位相となるように位置ずれしない状態で配置されている請求項６または７に記載のコンバイン。